(57)【要約】【課題】  凹凸のある壁面であっても水密な導水空間を形成することができる導水装置を提供する。【解決手段】  可撓性を有する長尺の導水体４が構造物２の壁面３に沿って配設され、粘着性を有する帯状の粘着シート５が導水体４を覆うように壁面３に装着される。凹凸のある壁面３であっても、導水体４および粘着シート５は壁面３の凹凸に沿って変形させた状態で取付けられ、導水体４と壁面３との間および粘着シート５と壁面３との間に水密な導水空間が形成される。【選択図】      図１
2018159223.tif 000002
【特許請求の範囲】
【請求項１】
構造物の壁面に沿って配設される、可撓性を有する長尺の導水体と、
粘着性を有する帯状のシート体から成る、前記導水体を覆うように前記壁面に装着される粘着シートであって、
前記導水体上に配設される中間部と、
前記中間部に連なり、前記壁面に粘着して接合される接合部と、を有する粘着シートと、を備えることを特徴とする導水装置。
【請求項２】
前記導水体は、
前記壁面によって支持される複数の脚部と、
前記複数の脚部を、前記壁面から離間した位置で連結する壁部と、を有することを特徴とする請求項１に記載の導水装置。
【請求項３】
前記導水体は、複数の透孔を有する筒状部材から成ることを特徴とする請求項１に記載の導水装置。
【請求項４】
前記構造物に打設され、前記接合部を壁面に固定するアンカー体を、さらに含むことを特徴とする請求項１〜３のいずれか１つに記載の導水装置。
【発明の詳細な説明】
【技術分野】
【０００１】
本発明は、トンネルおよび擁壁などの構造物の凹凸のある壁面に設けられ、構造物の目地および亀裂などから流れ出た水を、排水渠などの排水設備へ導くために好適に実施することができる導水装置に関する。
【背景技術】
【０００２】
典型的な従来技術の導水装置は、たとえば特許文献１に示されている。この従来技術の導水装置は、構造物の壁面に、道路軸線方向に５００ｍｍ毎に等間隔をあけて平行に設けられる一対の長手の保持具と、各保持具に幅方向両側部が保持される導水受板とを備える。
【０００３】
各保持具は、合成樹脂製の保持体と、保持体の幅方向両側部に設けられる一対のシール部材とを有する。各保持体の幅方向両側部間の幅方向中間部には、構造物の壁面とは反対側の空間に臨んで開放した凹所が長手方向に延びて形成されている。
【０００４】
各保持体の凹所内には、構造物に打ち込まれたアンカー体の頭部が突出し、この頭部にナットが螺着されて、各保持具が壁面に固定される。構造物は、道路トンネルの覆工コンクリート壁であって、壁面に固定された各保持具は、覆工コンクリート壁の壁面の目地部の両側に、各保持具が配置されるように、位置決めされる。
【０００５】
各保持具の凹所は、構造物の壁面とは反対側のトンネル内の空間に臨んで開放し、この凹所の幅方向両側には、幅方向外側方に臨んで開放する凹状の一対の嵌合保持部が設けられる。各嵌合保持部には、導水受板の幅方向一側部および幅方向他側部がそれぞれ嵌まり込んで保持され、各導水受板と壁面との間に水密な導水空間を形成する。
【０００６】
導水空間には、覆工コンクリート壁の目地部および亀裂などから漏出した地下水が流れ込んで集水される。導水空間内に流れ込んだ水は、導水装置の長手方向両側の下端部の開口に導かれて、路面両側の路側帯に設けられる上部排水溝に排出される。上部排水溝の下には、暗渠排水溝が設けられ、暗渠排水溝内の水は、図示しない排水管へ導かれて河川などへ放流される。
【０００７】
各保持体は、硬質ポリ塩化ビニルなどの硬質合成樹脂の押出し形材から成る長尺材によって実現される。またシール部材は、独立気泡の発泡合成樹脂と合成ゴムとの２層構造の長尺材によって実現される。また導水受板は、耐侯性および耐薬品性を有する硬質合成樹脂からなり、厚みが２ｍｍ程度の帯状パネルによって実現される。
【先行技術文献】
【特許文献】
【０００８】
【特許文献１】特許第２９１６４０７号公報
【発明の概要】
【発明が解決しようとする課題】
【０００９】
上記の特許文献１に記載される従来技術では、保持体が硬質ポリ塩化ビニルの押出し形材から成り、導水受板が耐侯性および耐薬品性を有するアクリル樹脂と硬質ポリ塩化ビニルとが混合された合成樹脂から成る。そのため、各保持体および導水受板が取付けられる構造物の壁面が、補修工事などによって地山にコンクリートを吹付けて構築された覆工コンクリート壁の凹凸のある壁面である場合には、壁面の凹凸に沿って保持具および導水受板を湾曲させて取付けることができないため、水密な導水空間が得られず、凹凸のある壁面には導水装置を設置することができないという問題がある。
【００１０】
本発明の目的は、凹凸のある壁面であっても水密な導水空間を形成することができる導水装置を提供することである。
【課題を解決するための手段】
【００１１】
本発明は、構造物の壁面に沿って配設される、可撓性を有する長尺の導水体と、
粘着性を有する帯状のシート体から成る、前記導水体を覆うように前記壁面に装着される粘着シートであって、
前記導水体上に配設される中間部と、
前記中間部に連なり、前記壁面に粘着して接合される接合部と、を有する粘着シートと、を備えることを特徴とする導水装置である。
【００１２】
また本発明は、前記導水体は、
前記壁面によって支持される複数の脚部と、
前記複数の脚部を、前記壁面から離間した位置で連結する壁部と、を有することを特徴とする。
【００１３】
また本発明は、前記導水体は、複数の透孔を有する筒状部材から成ることを特徴とする。
【００１４】
また本発明は、前記構造物に打設され、前記接合部を壁面に固定するアンカー体を、さらに含むことを特徴とする。
【発明の効果】
【００１５】
本発明によれば、可撓性を有する長尺の導水体が構造物の壁面に沿って配設され、粘着性を有する帯状の粘着シートが導水体を覆うように壁面に装着される。粘着シートは、導水体上に配設される中間部と、中間部に連なる接合部とを有し、各接合部は壁面に粘着して接合される。このような構成によって、凹凸のある壁面であっても、導水体および粘着シートは該壁面の凹凸に沿って変形させた状態で取付けることができ、導水体と壁面との間および粘着シートと壁面との間に水密な導水空間を形成し、壁面からの漏水を導水空間によって排水溝などの排水設備へ導いて排水することができる。
【００１６】
また本発明によれば、導水体は、壁面によって支持される複数の脚部と、複数の脚部を壁面から離間した位置で連結する壁部とを有するので、流路抵抗の少ない導水空間を実現することができ、漏水中の土砂、ごみなどの異物が導水体に係着しにくく、目詰まりが生じにくい導水装置を実現することができる。また壁面から流れ出す漏水の流量、壁面の目地および亀裂などの位置などの各種の設置条件に応じて、導水装置の設置位置および設置本数を変更して、設置条件に対して適切な設置態様を容易に実現することができ、設計上の自由度が高い導水装置を提供することができる。
【００１７】
また本発明によれば、導水体は、複数の透孔を有する筒状部材から成るので、壁面から流れ出す漏水の流量、壁面の目地および亀裂などの位置、導水装置の壁面からの突出量、導水装置の幅などの各種の設置条件に応じて、筒状部材の本数および粘着シートの幅を変更して、断面幅の異なる導水空間を容易に実現することができ、設計上の自由度が高い導水装置を提供することができる。
【００１８】
また本発明によれば、構造物に打設されたアンカー体によって、粘着シートの各接合部を壁面に固定することができるので、いたずらなどによる人為的な操作および車両が跳ね飛ばした石、空き缶、木片など飛翔物の当接による外力の作用によって、粘着シートが剥離してしまうことを防止することができる。
【図面の簡単な説明】
【００１９】
【図１】本発明の一実施形態の導水装置１を示す断面図である。
【図２】図１の下方から見た導水装置１の一部の正面図である。
【図３】導水装置１が構造物２に取付けられた状態を示す断面図である。
【図４】粘着シート５の一部の拡大断面図である。
【図５】本発明の他の実施形態の導水装置１Ａを示す断面図である。
【図６】本発明の他の実施形態の導水体４Ａを示す断面図である。
【図７】本発明の他の実施形態の導水体４Ｂを示す断面図である。
【図８】本発明の他の実施形態の導水装置１Ｂを示す断面図である。
【発明を実施するための形態】
【００２０】
図１は本発明の一実施形態の導水装置１を示す断面図であり、図２は図１の下方から見た導水装置１の一部の正面図であり、図３は導水装置１が構造物２に取付けられた状態を示す断面図である。本実施形態の導水装置１は、構造物２の壁面３に沿って配設され、可撓性を有する長尺の導水体４と、粘着性を有する帯状のシート体から成り、壁面３に導水体４を覆うように装着される粘着シート５とを含む。なお、本実施形態において、「漏水」は、主に地山の浸透水または湧水に土砂などの固体粒子およびごみなどの異物が混入した混合流体であるが、固体粒子が混合していない液体、たとえば結露水、雨水、地下水、湧水などの水をも含む。
【００２１】
構造物２は、トンネル６の覆工コンクリート壁７であって、地山にコンクリートまたはコンクリートモルタルを吹付けて構築されている。そのため壁面３は、トンネル６内の車道空間８に臨んで凹凸状であり、一様な連続曲面の存在しない不揃いな曲面から成っている。このような壁面３には、本実施形態の導水装置１が道路軸線Ｌ１方向に５００ｍｍ毎に等間隔をあけて平行に水密に設置され、覆工コンクリート壁７の目地または亀裂から流出した漏水を、車道空間８に滴下しないように、路肩などに設けられる排水溝へ導くことができるように構成されている。導水装置１の道路軸線Ｌ１方向の設置間隔は、５００ｍｍに限るものではなく、３００ｍｍ〜１０００ｍｍの範囲で漏水の流出量、流出箇所などの現場の設置条件に応じて適宜決定される。
【００２２】
導水体４は、壁面３によって支持される複数（本実施形態では３）の脚部９ａ，９ｂ，９ｃと、複数の脚部９ａ〜９ｃを壁面３から垂直な方向に離間した位置９ａ１，９ｂ１，９ｃ１で連結する帯状の壁部１０とを有する。
【００２３】
各脚部９ａ〜９ｃは、導水体４の長手方向（図１の紙面に垂直な方向）に垂直な断面において、幅方向に間隔ΔＬ１，ΔＬ２をあけて設けられており、断面形状が長方形の基部９ａ２，９ｂ２，９ｃ２と、半円状の先端部９ａ３，９ｂ３，９ｃ３とを有する。各脚部９ａ〜９ｃの幅ｂは、たとえば４．５ｍｍであり、間隔ΔＬ１，ΔＬ２は、たとえば４５ｍｍ程度であり、壁部１０の幅Ｂは、たとえば１３０ｍｍである。また各脚部９ａ〜９ｃの壁部１０の車道空間８に臨む側の表面からの高さＨは、たとえば１０ｍｍ、壁部１０の厚さＴ１は、たとえば２ｍｍ程度であり、長さ８ｍｍの定尺の押出し形材が用いられる。これらの寸法は、一例であって、壁面３の凹凸の大きさ、漏水の流出量などに応じて適宜決定される。
【００２４】
各先端部９ａ３，９ｂ３，９ｃ３は、導水装置１が設置された状態において、壁面３に弾発的に当接し、壁部１０と構造物２の壁面３との間に導水体４の長手方向に延びる空隙Ｓ１，Ｓ２を形成する。各脚部９ａ〜９ｃは、半円状の先端部９ａ３〜９ｃ３を有するので、岩石などによって大きく湾曲した壁面３に導水体４が取付けられた状態で、壁面３の微細な凹凸を吸収し、導水体４を水密に壁面３に密着させることができる。このような導水体４は、可撓性を有する軟質の合成樹脂から成る。
【００２５】
粘着シート５は、導水体４上に配設される中間部１１と、中間部１１の長手方向（図１の紙面に垂直な方向）に垂直な幅方向（図１の左右方向）両側部１１ａ，１１ｂにそれぞれ連なり、壁面３に粘着して接合される接合部１２ａ，１２ｂとを有する。このような粘着シート５は、粘着性を有する帯状のシート体から成る。
【００２６】
上記の導水装置１は、導水体４の長手方向に間隔Ｌ２をあけて構造物２に打設され、各接合部１２ａ，１２ｂを壁面３に固定する複数のアンカー体１３ａ，１３ｂと、各接合部１２ａ，１２ｂの幅方向外側方（図１の左方および右方）の側端部と壁面３とにわたって線状に打設されるシール材１４ａ，１４ｂとさらに含む。
【００２７】
各アンカー体１３ａ，１３ｂは、導水体４および粘着シート５の長手方向に５００ｍｍ毎に打設され、たとえばステンレス鋼製のナベ頭コンクリートビスが用いられる。このようなナベ頭コンクリートビスに代えて、粘着シート５を壁面３に強固に固定する必要がある場合には、構造物２内に埋設される円筒部の軸線方向一端部に周方向に分断された複数の拡開片が一体的に形成され、円筒部の軸線方向他端部には外ねじが刻設されるねじ部を有する中空のアンカースリーブと、軸線方向一端部に拡開片に挿入される円錐台状のテーパ部が設けられるアンカーロッドと、アンカースリーブのねじ部に螺着されるナットとを有するアンカー体が用いられてもよい。これらのアンカースリーブ、アンカーロッドおよびナットは、たとえばステンレス鋼から成る。このようなアンカー体は、構造物２にコンクリートドリルなどの穿孔工具によって穿孔して予め下穴を形成し、この下穴に前記アンカースリーブを打ち込むことによってテーパ部が拡開片を半径方向外方へ押し開いて拡開させ、拡開した拡開片が周囲のコンクリートに噛み込むことによって、アンカースリーブが構造物２に固定される。
【００２８】
導水体４は、前述したように、可撓性を有する軟質の合成樹脂から成る。可撓性を有する軟質の合成樹脂としては、軟質ポリ塩化ビニルが用いられ、その物性は、次の表１に示すとおりである。
【００２９】
【表１】
2018159223.tif 000003
【００３０】
本実施形態の導水装置１において、導水体４に用いられる軟質ポリ塩化ビニルは、ＪＩＳ Ｋ ６２５３に基づいて、温度２３℃でデュロメータによって測定した硬さがＡ７５であるが、難燃性を付与するための添加剤として、三酸化アンチモンおよび炭酸カルシウムが添加され、耐候性を付与するための添加剤として、ベンゾトリアゾール系紫外線吸収剤（商品名：チヌビン（登録商標））が添加され、さらに柔軟性を付与するための添加剤として、フタル酸ジイソノニル（略称ＤＩＮＰ）およびアジビル酸ジオクチル（略称ＤＯＡ）が添加されることを考慮して、軟質ポリ塩化ビニルの硬さは、Ａ６０以上、Ａ７５以下に選ばれ、好ましくはＡ７０に選ばれる。
【００３１】
このように本実施形態の導水装置１では、導水体４は軟質ポリ塩化ビニルから成るので、設置対象の壁面３の凹凸に応じて湾曲し、壁面３との間に隙間を生じることなしに密着させ、壁面３と粘着シート５と間に水密な導水空間を形成することができる。
【００３２】
図４は粘着シート５の一部の拡大断面図である。前述の粘着シート５は、前述したように、粘着性を有する帯状のシート体から成る。このような粘着シート５は、基材層２０と、基材層２０の一表面に積層される粘着層２１と、粘着層２１の基材層２０とは反対側の他表面に剥離可能に粘着される剥離フィルム２２とを有する。基材層２０は、その厚さがたとえば０．８ｍｍであり、シリコーンゴムから成る。粘着層２１は、その厚さがたとえば１．０ｍｍであり、シリコーンゲルから成る。粘着シート５の物性は、次の表２に示すとおりである。
【００３３】
【表２】
2018159223.tif 000004
【００３４】
粘着シート５は、２５ｍｍ〜２００ｍｍの試験片をＪＩＳ Ｃ ２１０７に規定された電気絶縁用粘着テープ試験方法に準じて、コンクリートモルタルの表面に乾燥状態で貼り付けたときの粘着力が１６〜１８Ｎ／２５ｍｍ、同じ試験片をアスファルト面に乾燥状態で貼り付けたときの粘着力が１２〜１４Ｎ／２５ｍｍを一週間発揮することが好ましい。
【００３５】
以上のように本実施形態の導水装置１は、可撓性を有する長尺の導水体４が構造物２の壁面３に沿って配設され、粘着性を有する帯状の粘着シート５が導水体４を覆うように壁面３に装着されるので、凹凸のある壁面３であっても、導水体４および粘着シート５は壁面３の凹凸に沿って変形させた状態で取付けることができ、導水体４と壁面３との間および粘着シート５と壁面３との間に水密な導水空間を形成し、壁面３からの漏水を導水空間によって排水溝などの排水設備へ確実に導いて排水することができる。
【００３６】
また導水体４は、壁面３によって支持される複数の脚部９ａ〜９ｃと、複数の脚部９ａ〜９ｃを壁面３から離間した位置で連結する壁部１０とを有するので、流路抵抗の少ない導水空間を実現することができ、漏水中の土砂、ごみなどの異物が導水体に係着しにくく、目詰まりが生じにくい導水装置を実現することができる。また壁面３から流れ出す漏水の流量、壁面の目地および亀裂などの位置などの各種の設置条件に応じて、導水装置１の設置位置および設置本数を変更して、設置条件に対して適切な設置態様を容易に実現することができ、設計上の自由度が高い導水装置を提供することができる。
【００３７】
また導水体４の長手方向に間隔をあけて構造物２に打設された複数のアンカー体１３ａ，１３ｂによって、粘着シート５の各接合部１２ａ，１２ｂを壁面３に固定することができるので、いたずらなどによる人為的な操作および車両が跳ね飛ばした石、空き缶、木片など飛翔物の当接による外力の作用によって、粘着シート５が剥離してしまうことを防止することができる。
【００３８】
図５は本発明の他の実施形態の導水装置１Ａを示す断面図である。なお、前述の実施形態と対応する部分には、同一の参照符を付す。本実施形態の導水装置１Ａは、道路軸線Ｌ１方向に隣接して配設された複数（本実施形態では２）の導水体４ａ，４ｂを粘着シート５によって覆う広幅の導水装置である。一方の導水体４ａの壁部１０の一方の側縁部１０ｂと、一方の導水体４ａに道路軸線Ｌ１方向に隣接する他方の導水体４ｂの壁部１０の前記一方の側縁部１０ｂに隣接する側の一方の側縁部１０ａとは、厚み方向に重ねられた状態で、接着剤または両面粘着テープによって接着または粘着されて互いに水密に接合される。
【００３９】
このように本実施形態の導水装置１Ａは、道路軸線Ｌ１方向に複数の導水体４ａ，４ｂが水密に接合されるので、道路軸線Ｌ１方向に２以上の複数の導水体４ａ，４ｂ，…が接合された幅広の導水装置１Ａを壁面３に構築して、広範囲の漏水に容易に対処することができる。
【００４０】
図６は本発明の他の実施形態の導水体４Ａを示す断面図である。なお、前述の実施形態と対応する部分には、同一の参照符を付す。前述の実施形態では、導水体４の各脚部９ａ〜９ｃの先端部９ａ３，９ｂ３，９ｃ３は、長手方向に垂直な断面が半円状であったが、本実施形態の導水体４Ａは、各脚部９ａ〜９ｃの先端部９ａ３，９ｂ３，９ｃ３は長方形であり、各基部９ａ２，９ｂ２，９ｃ２に連なって一様な長方形断面を成す。
【００４１】
導水体４Ａの各脚部９ａ〜９ｃの先端部９ａ３〜９ｃ３の断面が長方形であるので、壁面３に対して大きな摩擦力が得られ、物体の当接などによる外力に対して導水体４Ａの変位を抑制し、導水体４Ａのずれによる水密性の低下を防止することができる。設置態様としては、図１に示すように１つの導水体４Ａを用いてもよく、図５に示すように、複数の導水体４Ａを接合して用いてもよい。
【００４２】
図７は本発明の他の実施形態の導水体４Ｂを示す断面図である。なお、前述の実施形態と対応する部分には、同一の参照符を付す。本実施形態の導水体４Ｂは、各脚部９ａ〜９ｃの先端部９ａ３〜９ｃ３の長手方向に垂直な断面が三角形とされる。
【００４３】
導水体４Ｂの各脚部９ａ〜９ｃの先端部の断面が三角形であるので、壁面３の微小な粗面状の凹凸を先端部９ａ３〜９ｃ３の変形によって吸収し、高い水密性を得ることができる。設置態様としては、図１に示すように１つの導水体４Ａを用いてもよく、図５に示すように、複数の導水体４Ａを接合して用いてもよい。
【００４４】
図８は本発明の他の実施形態の導水装置１Ｂを示す断面図である。なお、前述の実施形態と対応する部分には、同一の参照符を付す。本実施形態の導水装置１Ｂは、複数の透孔を有する筒状部材から成る複数の導水体４Ｃが用いられる。筒状部材は、外径が１０ｍｍ程度であり、特殊変性ポリプロピレン樹脂から成る単繊維を中空編みした網状ホースによって実現されてもよい。網状ホースは、弾力性および屈曲性に富み、耐薬品性、耐寒性、耐水性に優れている。
【００４５】
このような構成によって、壁面３から流れ出す漏水の流量、壁面３の目地および亀裂などの位置、導水装置の壁面からの突出量、導水装置の幅などの各種の設置条件に応じて、導水体４Ｃの本数および粘着シート５の幅を変更して、断面幅の異なる導水空間を容易に実現することができ、設計上の自由度が高い導水装置を提供することができる。
【００４６】
本発明のさらに他の実施形態では、粘着シート５は、コンベアベルト、通路用マットなどに使用される、たとえば２００Ｎ／ｍｍ以上の高張力のゴムシートによって実現されてもよい。ゴム材料の材質としては、天然ゴム（略称ＮＲ）、シリコーンゴム、フッ素ゴム、エチレンプロピレンゴム（略称ＥＰＴ）、スチレンゴム（略称ＳＢＲ）、ブチルゴム（略称ＨＲ）、ハイパロン（略称ＣＳＭ）、アクリルゴム（略称ＡＣＭ、ＡＮＭ）などの各種材料を選択的に用いることができる。
【００４７】
本発明の導水装置は、凹凸のある壁面に限らず、平面状の壁面のも当然に設置が可能である。また構造物は、上記のトンネルの覆工コンクリート壁に限らず、その他の構造物、たとえば橋台、橋脚、擁壁などの各種のコンクリート構造物であってもよい。また、壁面の凹凸の形状、漏水の範囲、漏水の流出量などに応じて、図１〜図８に示される各実施形態の導水体４，４Ａ，４Ｂを組み合わせた態様も可能であり、上述と同様に高い水密性を有する導水空間を容易に構築することができる。
【符号の説明】
【００４８】
１，１Ａ，１Ｂ  導水装置
２  構造物
３  壁面
４；４ａ，４ｂ；４Ａ；４Ｂ；４Ｃ  導水体
５  粘着シート
６  トンネル
７  覆工コンクリート壁
８  車道空間
９ａ，９ｂ，９ｃ  脚部
９ａ２，９ｂ２，９ｃ２  基部
９ａ３，９ｂ３，９ｃ３  先端部
１０  壁部
１１  中間部
１１ａ，１１ｂ  側部
１２ａ，１２ｂ  接合部
１３ａ，１３ｂ  アンカー体
１４ａ，１４ｂ  シール材
２０  基材層
２１  粘着層
２２  剥離フィルム
Ｌ１  道路軸線
ΔＬ１，ΔＬ２  間隔
【図１】
2018159223.tif 000005
【図２】
2018159223.tif 000006
【図３】
2018159223.tif 000007
【図４】
2018159223.tif 000008
【図５】
2018159223.tif 000009
【図６】
2018159223.tif 000010
【図７】
2018159223.tif 000011
【図８】
2018159223.tif 000012